(57)【要約】【課題】遊技機において、組み立てやメンテナンス時の配線の取り扱いを容易にし、配線を手掛かりとした不正行為の実行を困難にする。【解決手段】所定の遊技媒体を用いて遊技を行う遊技機本体３と、コネクタを備えた主制御基板１００と、遊技機本体３の背面側に設けられ、主制御基板１００が搭載されるＬＣＤブラケット１９０ａと、端部にコネクタを備え、当該コネクタが主制御基板１００のコネクタと嵌合して主制御基板１００と他の電気部品とを相互に電気的に接続する信号配線Ｌ２−６と、ＬＣＤブラケット１９０ａに設けられ、信号配線Ｌ２−６を主制御基板１００とＬＣＤブラケット１９０ａとの間で保持する信号配線用保持部Ｈ２ａとを有する構成にする。【選択図】        図６
2006068162.tif 000002
【特許請求の範囲】
【請求項１】
所定の遊技媒体を用いて遊技を行う遊技機本体と、
コネクタを備えた電気部品と、
前記遊技機本体の背面側に設けられ、前記電気部品が搭載される支持部材と、
端部にコネクタを備え、当該コネクタが前記電気部品の前記コネクタと嵌合して複数の前記電気部品を相互に電気的に接続する配線と、
前記支持部材に設けられ、前記配線を前記電気部品と前記支持部材との間で保持する保持部と、
を有することを特徴とする遊技機。
【請求項２】
前記保持部は、前記支持部材に形成された凹部であることを特徴とする請求項１記載の遊技機。
【請求項３】
前記支持部材には、前記電気部品の搭載面と反対の面に画像表示装置が取り付けられるとともに、前記画像表示装置の取り付け位置に貫通する貫通孔が前記保持部に形成されていることを特徴とする請求項１または２記載の遊技機。
【請求項４】
前記保持部における前記貫通孔との対向位置にはリブが形成されていることを特徴とする請求項３記載の遊技機。
【発明の詳細な説明】
【技術分野】
【０００１】
本発明は遊技機に関し、特に遊技機の背面側に敷設された電源配線と信号配線などの配線のレイアウトに適用して有効な技術に関するものである。
【背景技術】
【０００２】
パチンコ機やパチスロ機などの遊技機では、その背面側にブラケット（支持部材）が設けられ、様々な制御基板や中継基板、ソレノイドなどの電気部品が搭載されている。
【０００３】
そして、これらの電気部品は、電力を供給するための電源配線や信号の伝達を行うための信号配線などの配線で相互に接続されている。
【０００４】
配線は、一般に複数本の電線が束になった組電線（ハーネス）であり、配線の端部に備えられたコネクタが電気部品のコネクタと嵌合することにより、複数の電気部品が相互に電気的に接続される。
【０００５】
そして、メンテナンスなどの際に電気部品を取り外す必要が生じると、コネクタ同士の嵌合を解除することにより、配線も取り外す必要が出てくる。
【０００６】
なお、配線接続処理については、例えば特開平６−８６８４８号公報に記載がある。
【特許文献１】特開平６−８６８４８号公報
【発明の開示】
【発明が解決しようとする課題】
【０００７】
このような従来の技術によれば、配線の一部のコネクタを取り外したならば、配線が電気部品から完全に離脱していないのでメンテナンスの邪魔になったり、再度電気部品をブラケットに取り付ける際に配線が噛み込んで作業性が悪化する場合がある。
【０００８】
また、配線を電気部品から完全に取り外す場合、取り外し作業が面倒であり、取り外した配線の置き場所を確保しておく必要がある。
【０００９】
そして、作業性の観点から配線は電気部品などで隠蔽されることなく露出しているので、配線を手掛かりとした不正行為が行われる懸念がある。
【００１０】
そこで、本発明は、組み立てやメンテナンス時の配線の取り扱いが容易な遊技機を提供することを目的とする。
【００１１】
また、本発明は、配線を手掛かりとした不正行為の実行が困難な遊技機を提供することを目的とする。
【課題を解決するための手段】
【００１２】
上記課題を解決するため、本発明に係る遊技機は、所定の遊技媒体を用いて遊技を行う遊技機本体と、コネクタを備えた電気部品と、遊技機本体の背面側に設けられ、電気部品が搭載される支持部材と、端部にコネクタを備え、当該コネクタが電気部品のコネクタと嵌合して複数の電気部品を相互に電気的に接続する配線と、支持部材に設けられ、配線を電気部品と支持部材との間で保持する保持部と、を有することを特徴とする。
【００１３】
これにより、露出した配線を電気部品と支持部材との間で保持しているので、組み立てやメンテナンス時の配線の取り扱いが容易になり、しかも配線を電気部品で隠せるので配線を手掛かりとした不正行為の実行を困難にすることができる。
【００１４】
本発明の好ましい形態において、保持部は、支持部材に形成された凹部であることを特徴とする。
【００１５】
これにより、支持部材に形成された凹部という空間に配線が配置されることから、電気部品と支持部材との距離を狭めることができるので、配線を手掛かりとした不正行為の実行をさらに困難にすることができる。
【００１６】
本発明のさらに好ましい形態において、支持部材には、電気部品の搭載面と反対の面に画像表示装置が取り付けられるとともに、画像表示装置の取り付け位置に貫通する貫通孔が保持部に形成されていることを特徴とする。
【００１７】
これにより、画像表示装置の発熱を貫通孔を通して放出することができる。
【００１８】
本発明のさらに好ましい形態において、保持部における貫通孔との対向位置にはリブが形成されていることを特徴とする。
【００１９】
これにより、配線を隠している電気部品を取り外しても、配線が保持部から離脱することがリブにより防止されるので、組み立てやメンテナンス時の配線の取り扱いが一層容易になる。
【００２０】
また、リブは貫通孔と対向しているので、支持部材を成型する金型において、貫通孔を形成するためのピンの長さをリブの厚みだけ短くするだけで、金型を複雑な構造にすることなくリブを容易に形成することができる。
【発明の効果】
【００２１】
本発明によれば以下の効果を奏することができる。
【００２２】
すなわち、本発明によれば、露出した配線を電気部品と支持部材との間で保持しているので、組み立てやメンテナンス時の配線の取り扱いが容易になる。
【００２３】
また、本発明によれば、配線を電気部品で隠せるので、配線を手掛かりとした不正行為の実行を困難にすることができる。
【００２４】
支持部材に形成された凹部を保持部とすれば、支持部材に形成された凹部という空間に配線が配置されることから、電気部品と支持部材との距離を狭めることができるので、配線を手掛かりとした不正行為の実行をさらに困難にすることができる。
【００２５】
画像表示装置の取り付けられた支持部材の保持部に貫通孔を形成すれば、画像表示装置の発熱を貫通孔を通して放出することができる。
【００２６】
保持部における貫通孔との対向位置にリブを形成すれば、配線を隠している電気部品を取り外しても、配線が保持部から離脱することがリブにより防止されるので、組み立てやメンテナンス時の配線の取り扱いが一層容易になる。
【００２７】
また、リブを貫通孔との対向位置に形成すれば、支持部材を成型する金型において、貫通孔を形成するためのピンの長さをリブの厚みだけ短くするだけで、金型を複雑な構造にすることなくリブを容易に形成することができる。
【発明を実施するための最良の形態】
【００２８】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２９】
図１は本発明の一実施の形態である遊技機を示す斜視図、図２は図１の遊技機の制御系を示すブロック図、図３は図１の遊技機の背面側を示す正面図、図４は図３の遊技機の背面側におけるＬＣＤブラケットを示す正面図、図５は図３の遊技機の背面側における基板ブラケットを示す正面図、図６は図４のＬＣＤブラケットの要部を電源配線および信号配線とともに示す斜視図、図７は図５の基板ブラケットの要部を電源配線および信号配線とともに示す斜視図である。
【００３０】
図１に示すように、パチンコ機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に軸支されており、他端が遊技機本体３に係合するようになっている。
【００３１】
遊技盤２ａは、そのレール６に包囲された遊技領域２ｂに、多数の遊技くぎや風車などの障害物（図示せず）、一般入賞口１２、通過ゲート（図示せず）、始動口１３、大入賞口１４、アウト口１５、普通図柄表示装置および特別図柄表示装置を構成する画像表示装置としての液晶ディスプレイ（ＬＣＤ）２１などからなる遊技部材が配置されている。
【００３２】
ここで、一般入賞口１２は、遊技球が入賞すると所定の数の遊技球が払い戻される装置、通過ゲートは、遊技球が通過したことを契機として普通図柄表示装置の複数の図柄を変動・停止させる装置、始動口１３は、遊技球が入賞すると特別図柄表示装置の複数の図柄を変動・停止させる装置、大入賞口１４は、特別図柄表示装置の停止時における図柄の組み合わせが予め設定された特定の図柄の組み合わせとなって特別遊技状態に移行した場合に開放状態となる装置である。また、アウト口１５は、一般入賞口１２、始動口１３、大入賞口１４の何れにも入賞しなかった遊技球が流入して回収される装置である。
【００３３】
そして、液晶ディスプレイ２１は、画像信号入力に基づいて任意の画像を表示する装置であり、本実施の形態においては、前述のように普通図柄表示装置と特別図柄表示装置とが液晶ディスプレイ２１内に一体化されている。但し、両者は別体になっていてもよい。
【００３４】
なお、遊技盤２ａが透明である本実施の形態では、液晶ディスプレイ２１が遊技盤２ａを通して視認可能に配置されている。また、画像表示装置としては、液晶ディスプレイ以外にも、例えばＣＲＴ（陰極線管）あるいはプラズマディスプレイ等を用いることもできる。
【００３５】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域２ｂへ遊技球を打ち込む際に回動操作されるハンドル７が設けられている。さらに、遊技終了時などにおいて上皿５ａに貯留された遊技球を下皿５ｂに移動させて取り出す場合に操作されるシャッタレバー１０が設けられている。
【００３６】
なお、ガラス扉４の上部の左右には、スピーカ８ａ，８ｂがそれぞれ配置されている。
【００３７】
次に、このような遊技機の制御系について、図２を用いて説明する。
【００３８】
パチンコ機１の制御系は、主制御回路２００と、この主制御回路２００に接続される副制御回路３００、払出制御回路７０ａおよび発射制御回路７０ｂを有している。
【００３９】
この制御系は主制御回路２００を主な構成要素とし、遊技盤２ａの背面側に搭載されている。
【００４０】
また、パチンコ機１の払出制御回路７０ａには、カードユニット８１が接続されている。
【００４１】
このカードユニット８１は、パチンコ機１の近傍に設置され、プリペイドカードを差込可能な差込口を有しており、当該差込口に差し込まれたプリペイドカードに記録された記録情報を読み取る読み取り手段と、球貸し操作パネル９の操作に応じて、払出制御回路７０ａに対し遊技球の貸出を指令する貸出指令信号を出力する貸出指令信号出力手段と、前述の読み取り手段によって読み取った記録情報から特定される貸出可能数から、貸出指令信号出力手段により貸出を指令した貸出数を減算し、上記差込口に差し込まれているプリペイドカードに当該情報を記録させる書き込み手段を有している。
【００４２】
主制御回路２００には、予め設定されたプログラムに従ってパチンコ機１の遊技動作を行うメインＣＰＵ（超小型演算処理装置）２０１、異常時や電源投入時に各種設定を初期値に戻すためのリセット信号を生成する初期リセット回路２０４、メインＣＰＵ２０１が動作する上で必要な各種データを記憶するメインＲＡＭ２０３、メインＣＰＵ２０１がパチンコ機１の遊技動作を処理制御するためのプログラム、乱数抽選によって大当り判定をする際に参照される大当り判定テーブル、乱数抽選によって普通当り判定をする際に参照される普通当り判定テーブル、演出を抽選する際に参照される各種確率テーブルを格納しているメインＲＯＭ２０２が実装されている。
【００４３】
また、メインＲＡＭ２０３は、メインＣＰＵ２０１によって計数された入賞記憶の数（始動口１３への入賞球数）を記憶するための入賞記憶カウンタ、およびメインＣＰＵ２０１によって計数された通過記憶の数（通過ゲートの通過球数）を記憶するための通過記憶カウンタを具備する。
【００４４】
ここで、メインＣＰＵ２０１は、始動口１３へ遊技球が入賞して始動入賞が発生すると大当り判定を行う大当り判定処理、大当りの判定結果に基づいて、特別図柄の変動表示を実行させるための変動表示パターンを決定する変動表示パターン決定手段である。
【００４５】
具体的には、メインＣＰＵ２０１は、始動入賞が発生すると、所定の始動条件が成立したとして、大当り判定の結果に基づいて、特別図柄の変動表示を実行させるための変動表示パターンを指示する変動表示パターンコマンド、変動表示の停止図柄を指示するコマンドを生成し、セットする。さらに、メインＣＰＵ２０１は、普通図柄表示装置に表示される内容の決定処理などを行っている。
【００４６】
さらにメインＣＰＵ２０１は、決定した（特別図柄の）変動表示パターンが、リーチ（例えば、ノーマルリーチ、ノーマルリーチ当り、スーパーリーチ、スーパーリーチ当りなど）の場合は、当該リーチが液晶ディスプレイ２１に変動表示される前に、副制御回路３００に対し、リーチ予告の報知の指示に関するリーチ予告演出コマンドを送信するリーチ予告演出コマンド送信手段を備えている。
【００４７】
また、メインＣＰＵ２０１は、所定の始動条件が成立したとき（例えば、始動入賞が発生した場合など）、変動表示パターンコマンドを生成し、セットする。
【００４８】
サブＣＰＵ３０１は、主制御回路２００から、変動表示パターンコマンドを受信したとき、受信した変動表示パターンコマンドに対応する制御データをセットする。
【００４９】
サブＣＰＵ３０１は、セットした制御データに含まれる演出パターンに従った表示を行わせるように、画像制御回路３０５に指示するためのデータを経時的に変化させる。
【００５０】
画像制御回路３０５は、所定時間ごとに送信されるサブＣＰＵ３０１の指示を実行することにより、液晶ディスプレイ２１においては、例えば、変動表示パターンに対応する特別図柄や背景画が表示される。
【００５１】
さらにメインＣＰＵ２０１は、遊技状態が特定遊技状態に移行されると、大入賞口１４の扉を開閉するように大入賞口ＳＯＬ７２Ｓを制御する大入賞口ＳＯＬ制御手段を構成している。
【００５２】
主制御回路２００のＩ／Ｏポート２０５には、通過ゲートの内側に設けられ、遊技球が通過するのを検知するセンサである通過ゲートＳＷ１９Ｓａ、始動口１３に入賞した遊技球を検知するセンサである始動口ＳＷ１９ａが接続されている。また、大入賞口１４内の継続入賞口に設けられ、入賞した遊技球を検知するセンサであるＶ・カウントＳＷ１９Ｓｄ、大入賞口１４内の普通入賞口に設けられ、入賞した遊技球を検知するセンサであるカウントＳＷ１９Ｓｅ、一般入賞口１２へ入賞した遊技球を検知するセンサである一般入賞口ＳＷ１９Ｓｂ、メインＲＡＭ２０３に記憶されている各種データを消去するためのバックアップクリアＳＷ７４Ｓが接続されている。また、ハンドル７の操作によって発射装置９０から発射される遊技球を検知する発射球センサ（図示せず）、および発射されたものの遊技盤２ａの盤面まで到達せずにレール６を戻ってきた遊技球を検知する戻り球センサ（図示せず）が接続されている。さらに、このＩ／Ｏポート２０５には、アクチュエータとして、始動口１３に設けられた普通電動役物を、遊技球を受け入れ易い状態と遊技球を受け入れ難い状態との間で切換える始動口ＳＯＬ（ソレノイド）７１Ｓ、大入賞口１４の扉を開閉する大入賞口ＳＯＬ（ソレノイド）７２Ｓ、大入賞口１４内のシーソを駆動するシーソＳＯＬ（ソレノイド）７３Ｓ等が接続されている。
【００５３】
上記各センサが遊技球を検知すると、その検知信号は主制御回路２００のメインＣＰＵ２０１に入力され、入力される検知信号に応じて、メインＣＰＵ２０１は上記各アクチュエータ７１Ｓ、７２Ｓ、７３Ｓをそれぞれ駆動制御する。また、副制御回路３００や払出制御回路７０ａ、発射制御回路７０ｂに対して、それぞれ主制御回路２００のコマンド出力ポート２０６から制御指令が送信され、副制御回路３００や払出制御回路７０ａ、発射制御回路７０ｂによって液晶ディスプレイ２１や、スピーカ８ａ，８ｂ、ランプ・ＬＥＤ３９ａ、払出装置８２、発射装置９０などの動作が制御される。
【００５４】
払出制御回路７０ａには賞球や貸球等を払出す払出装置８２が接続され、発射制御回路７０ｂには遊技球を遊技領域２ｂに向けて発射する発射装置９０が接続されている。払出制御回路７０ａは、一般入賞口１２および大入賞口１４などに遊技球が入球したことを条件として主制御回路２００から出力される払出指令信号に応じて払出装置８２を駆動制御し、所定数の遊技球を賞球として払出させる。さらに、払出制御回路７０ａは、カードユニット８１から出力される貸出指令信号に応じて払出装置８２を駆動制御し、所定数の遊技球を貸球として払出させる。また、発射制御回路７０ｂは、ハンドル７の回動操作に応じて発射ソレノイドを駆動制御する。これによって発射装置９０から遊技球を発射させる。
【００５５】
また、ハンドル７には遊技球の発射を停止するストップボタン（図示せず）が設けられている。
【００５６】
副制御回路３００には、サブＣＰＵ３０１、ワークＲＡＭ３０３、プログラムＲＯＭ３０２が実装されている。サブＣＰＵ３０１は、コマンド入力ポート３０４を介して主制御回路２００から受信したコマンドを解釈し、その解釈結果に従って画像制御回路３０５，音声制御回路３０６，ランプ制御回路３０７等の制御を行う。プログラムＲＯＭ３０２には、サブＣＰＵ３０１が、主制御回路２００から出力される各種コマンドに基づいて画像制御回路３０５を処理制御するための制御プログラム、音声制御回路３０６を処理制御するための制御プログラム、およびランプ制御回路３０７を処理制御するための制御プログラムなどが格納されている。ワークＲＡＭ３０３は、サブＣＰＵ３０１が上記制御プログラムに従って処理制御を行う際の一時的な記憶手段となる。
【００５７】
画像制御回路３０５は、サブＣＰＵ３０１からの制御に応じて、液晶ディスプレイ２１に特別図柄の変動表示などの表示を実行するものであり、各種画像データを記憶する画像データＲＯＭと、サブＣＰＵ３０１からの制御に基づいて、画像データＲＯＭに記憶されている画像データを用いて、特別図柄の変動表示などの表示を実行するためのデータを生成するＶＤＰ（Ｖｉｄｅｏ  Ｄｉｓｐｌａｙ  Ｐｒｏｃｅｓｓｏｒ）と、ＶＤＰにより生成された表示画像データをアナログ信号に変換するＤ／Ａ変換回路とを具備する。
【００５８】
例えば、画像制御回路３０５は、サブＣＰＵ３０１の制御に基づいて、液晶ディスプレイ２１に対し、大当り判定の結果に対応する特別図柄および背景画を変動表示させるなどの画像表示制御処理を行う。また、画像制御回路３０５および液晶ディスプレイ２１は、特別図柄の変動表示時の演出表示態様によって当該遊技におけるリーチ演出発生の有無または発生するリーチ演出の種類または大当り発生の信頼度を報知する報知手段を構成している。
【００５９】
音声制御回路３０６にはスピーカ８ａ，８ｂが接続されている。音声制御回路３０６は、サブＣＰＵ３０１の制御に基づき、音信号を生成する。スピーカ８ａ，８ｂは、入力したこの音信号に基づいて音を発生する。
【００６０】
ランプ制御回路３０７にはランプ・ＬＥＤ３９ａが接続されている。ランプ制御回路３０７は、サブＣＰＵ３０１の制御に基づき、信号を生成する。ランプ・ＬＥＤ３９ａは、入力したこの信号に基づいて点灯表示等を行う。
【００６１】
なお、パチンコ機１における各処理は、主制御回路２００と副制御回路３００とにより制御されているが、主制御回路２００は、副制御回路３００により制御される処理の全部または一部を処理してもよく、副制御回路３００は、主制御回路２００により制御される処理の全部または一部を処理してもよい。
【００６２】
次に、このような制御系を構成する電気部品について説明する。
【００６３】
図３に示すように、遊技盤２ａの背面側には、主制御回路２００を構成する主制御基板１００、ランプ制御回路３０７を除いた副制御回路３００を構成する副制御基板１１０、ランプ制御回路３０７を構成する演出中継基板１２０、ＡＣ電源の取り込みや基板間の信号の中継を行う枠中継基板１３０、液晶ディスプレイ２１などを照明するための冷陰極管のインバータであるインバータ基板１４０、各電気部品が動作するために必要な電圧の電源（例えば２４Ｖ、１２Ｖ、５Ｖなど）を生成する電源基板１５０、発射制御回路７０ｂを構成する発射制御基板１６０、払出制御回路７０ａを構成する払出制御基板１７０、カードユニット８１における読み取り手段、貸出指令信号出力手段および書き込み手段を構成するＣＲ用基板１８０、盤面基板（図示せず）などが配置されている。
【００６４】
なお、背面の上部には遊技球が貯留される貯留タンク４００が設けられ、この貯留タンク４００に貯留された遊技球を遊技条件に応じて上皿５ａに払い出すために、遊技球排出路４１０が形成されている。
【００６５】
ここで、本明細書における電気部品は、主制御基板１００、副制御基板１１０、演出中継基板１２０、枠中継基板１３０、インバータ基板１４０、電源基板１５０、発射制御基板１６０、払出制御基板１７０およびＣＲ用基板１８０を指す。但し、これら主制御基板１００や副制御基板１１０などは電気部品の一例に過ぎず、本発明の電気部品はこれら列挙された電気部品に限定されるものではない。つまり、電気部品としては、他にもソレノイドなど、電力の供給を受けて動作する種々の部品を適用することが可能であり、また副制御基板と演出中継基板とを一体にしたり、払出制御基板と発射制御基板とを一体にするなど、電気部品としての構成には様々な態様が考えられる。
【００６６】
そして、電気部品は電源配線（配線）Ｌ１や信号配線（配線）Ｌ２により接続されている。すなわち、枠中継基板１３０と電源基板１５０との間には、コンセントを介して取り込まれた例えば２４Ｖの電力を供給する電源配線Ｌ１−１が配置され、さらに電源基板１５０と払出制御基板１７０との間にも、払出制御基板１７０へ供給される例えば２４Ｖの電力が流れる電源配線Ｌ１−２が配置されている。また、液晶ディスプレイ２１とインバータ基板１４０との間には信号配線Ｌ２−１が、副制御基板１１０と演出中継基板１２０との間には信号配線Ｌ２−２が、副制御基板１１０とインバータ基板１４０との間には信号配線Ｌ２−３が、副制御基板１１０と電源基板１５０との間には信号配線Ｌ２−４が、インバータ基板１４０と液晶ディスプレイ２１との間には信号配線Ｌ２−５が、枠中継基板１３０と払出制御基板１７０との間には信号配線Ｌ２−６が、枠中継基板１３０と盤面基板との間には信号配線Ｌ２−７が、主制御基板１００と盤面基板との間には信号配線Ｌ２−８が、それぞれ設けられて、これらを相互に電気的に接続して信号の伝達が行われるようになっている。
【００６７】
これら電源配線Ｌ１や信号配線Ｌ２には、端部に端子が固定されるとともにこの端子が挿入された状態でコネクタが取り付けられている。一方、電気部品には、電源配線Ｌ１や信号配線Ｌ２の端子と係合する端子が、電源配線Ｌ１や信号配線Ｌ２のコネクタと着脱可能に嵌合するコネクタに挿入された状態で設けられている。
【００６８】
したがって、電源配線Ｌ１や信号配線Ｌ２に設けられたコネクタが電気部品に設けられたコネクタと嵌合することにより電源配線Ｌ１や信号配線Ｌ２側の端子が電気部品の端子と接触し、電気部品相互間が電気的に接続される。
【００６９】
そして、図示するように、電源配線Ｌ１と信号配線Ｌ２とは、双方が混在することなく別々に束ねられ、且つ相互に所定間隔だけ離間して配置されている。
【００７０】
なお、本実施の形態においては、信号配線Ｌ２へのノイズの影響が懸念される２４Ｖの電源配線Ｌ１が信号配線Ｌ２と離間しているが、ノイズの影響が比較的少ない１２Ｖあるいは５Ｖという低電圧の電源配線については、信号配線Ｌ２と離間していてもよく、していなくてもよい。つまり、信号配線Ｌ２はすべての電源配線Ｌ１に対して離間していてもよいが、一部の電源配線Ｌ１に対して離間していてもよい。
【００７１】
また、電源配線Ｌ１および信号配線Ｌ２はこれら以外にも設けられているが、煩雑さを回避するために、図示は省略されている。
【００７２】
さらに、図面では、電源配線Ｌ１および信号配線Ｌ２は何れも１本で表されているが、実際には、多くの場合、複数本が束になっている（図６，図７参照）。
【００７３】
ここで、図４および図５に示すように、主制御基板１００、副制御基板１１０、枠中継基板１３０およびインバータ基板１４０は、前面に液晶ディスプレイ２１が取り付けられたＬＣＤブラケット（支持部材）１９０ａに取り付けられている。また、電源基板１５０、発射制御基板１６０、払出制御基板１７０およびＣＲ用基板１８０は基板ブラケット（支持部材）１９０ｂに取り付けられている。なお、演出中継基板１２０は本体枠３ａに取り付けられている。なお、支持部材であるブラケットは１つあるいは３つ以上でもよく、ブラケットには電気部品が少なくとも１つ搭載されている限り、搭載個数は問わない。
【００７４】
図４および図６に示すように、ＬＣＤブラケット１９０ａには電源配線用保持部（保持部）Ｈ１−１が複数箇所に形成されており、電源配線Ｌ１−１はこの電源配線用保持部Ｈ１−１に保持されている。また、図５および図７に示すように、基板ブラケット１９０ｂには電源配線用保持部（保持部）Ｈ１−２が複数箇所に形成されており、電源配線Ｌ１−２はこの電源配線用保持部Ｈ１−２に保持されている。さらに、ＬＣＤブラケット１９０ａおよび基板ブラケット１９０ｂには多数の信号配線用保持部（保持部）Ｈ２，Ｈ２ａが形成されており、様々の信号配線Ｌ２はこれらの信号配線用保持部Ｈ２，Ｈ２ａに適宜保持されている。
【００７５】
さて、図６に詳しく示すように、ＬＣＤブラケット１９０ａにおいては、主制御基板１００の取り付けられた箇所に形成された信号配線用保持部Ｈ２ａは、露出した信号配線Ｌ２−６を、電気部品である電気部品である主制御基板１００と支持部材であるＬＣＤブラケット１９０ａとの間で挟むようにして保持ししている。つまり、信号配線用保持部Ｈ２ａはＬＣＤブラケット１９０ａに形成された凹部であり、このような凹部に信号配線Ｌ２−６を配置することにより、信号配線Ｌ２−６を主制御基板１００とＬＣＤブラケット１９０ａとの間で保持している。
【００７６】
このように、露出した信号配線Ｌ２−６を主制御基板１００とＬＣＤブラケット１９０ａとの間で保持することにより、組み立てやメンテナンス時にも信号配線Ｌ２−６が邪魔にならずに取り扱いが容易になる。
【００７７】
また、信号配線Ｌ２−６を主制御基板１００で隠せるので、信号配線Ｌ２−６を手掛かりとした不正行為の実行を困難にすることができる。
【００７８】
特に、ＬＣＤブラケット１９０ａに形成された凹部を信号配線用保持部Ｈ２ａとすることにより、この凹部という空間に信号配線Ｌ２−６が配置されることから、主制御基板１００とこれが搭載されたＬＣＤブラケット１９０ａとの距離を狭めることができるので、信号配線Ｌ２−６など配線を手掛かりとした不正行為の実行をさらに困難にすることができる。
【００７９】
なお、本発明は、配線を電気部品と支持部材との間で保持していればよい。したがって、保持される配線は信号配線Ｌ２−６以外の信号配線でもよく、さらに電源配線Ｌ１−１，Ｌ１−２でもよい。よって、保持部は信号配線用の保持部に限定されるものではなく、電源配線用の保持部であってもよい。
【００８０】
また、配線を保持する部材は、主制御基板１００以外の電気部品であってもよく、支持部材はＬＣＤブラケット１９０ａではなく、基板ブラケット１９０ｂ、あるいはこれ以外の支持部材であってもよい。
【００８１】
但し、本実施の形態のように、電気部品の搭載面と反対の面、つまり前面に液晶ディスプレイ２１が取り付けられたＬＣＤブラケット１９０ａを支持部材とした場合には、液晶ディスプレイ２１の取り付け位置に貫通する貫通孔１９０ａ−１を信号配線用保持部Ｈ２ａに形成すれば、液晶ディスプレイ２１の発熱を貫通孔１９０ａ−１を通して放出することができる。
【００８２】
さらに、この場合において、信号配線用保持部Ｈ２ａにおける貫通孔１９０ａ−１との対向位置には、リブＨ２ａ−１を形成するのがよい。このようにすれば、信号配線Ｌ２−６を隠している電気部品である主制御基板１００を取り外しても、信号配線Ｌ２−６が信号配線用保持部Ｈ２ａから離脱することがリブＨ２ａ−１により防止されるので、組み立てやメンテナンス時における配線の取り扱いが一層容易になる。
【００８３】
そして、このようなリブＨ２ａ−１を貫通孔１９０ａ−１と対向した位置に配置しているので、支持部材であるＬＣＤブラケット１９０ａを成型する金型において、貫通孔１９０ａ−１を形成するためのピンの長さをリブＨ２ａ−１の厚みだけ短くするだけで、金型を複雑な構造にすることなくリブＨ２ａ−１を容易に形成することができる。
【産業上の利用可能性】
【００８４】
以上の説明においては、本発明を遊技機の一つであるパチンコ機１に適用した場合が説明されているが、本発明はこれに限定されるものではなく、パチスロ機、あるいはゲームセンターに設置された各種ゲーム機など、様々な遊技機に適用することが可能である。
【図面の簡単な説明】
【００８５】
【図１】本発明の一実施の形態である遊技機を示す斜視図である。
【図２】図１の遊技機の制御系を示すブロック図である。
【図３】図１の遊技機の背面側を示す正面図である。
【図４】図３の遊技機の背面側におけるＬＣＤブラケットを示す正面図である。
【図５】図３の遊技機の背面側におけるＬＣＤブラケットを示す正面図である。
【図６】図４のＬＣＤブラケットの要部を電源配線および信号配線とともに示す斜視図である。
【図７】図５の基板ブラケットの要部を電源配線および信号配線とともに示す斜視図である。
【符号の説明】
【００８６】
１  パチンコ機（遊技機）
２ａ  遊技盤
２ｂ  遊技領域
３  遊技機本体
３ａ  本体枠
３ｂ  ベース枠
４  ガラス扉
５  皿ユニット
５ａ  上皿
５ｂ  下皿
６  レール
７  ハンドル
８ａ，８ｂ  スピーカ
９  球貸し操作パネル
１０  シャッタレバー
１２  一般入賞口
１３  始動口
１４  大入賞口
１５  アウト口
１９Ｓｄ  Ｖ・カウントＳＷ
１９Ｓｅ  カウントＳＷ
１９Ｓｂ  一般入賞口ＳＷ
１９Ｓａ  通過ゲートＳＷ
１９ａ  始動口ＳＷ
２１  液晶ディスプレイ（画像表示装置）
７０ａ  払出制御回路
７０ｂ  発射制御回路
７１Ｓ  始動口ＳＯＬ
７２Ｓ  大入賞口ＳＯＬ
７３Ｓ  シーソーＳＯＬ
７４Ｓ  バックアップクリアＳＷ
８１  カードユニット
８２  払出装置
９０  発射装置
１００  主制御基板
１１０  副制御基板
１２０  演出中継基板
１３０  枠中継基板
１４０  インバータ基板
１５０  電源基板
１６０  発射制御基板
１７０  払出制御基板
１８０  ＣＲ用基板
１９０ａ  ＬＣＤブラケット（支持部材）
１９０ａ−１  貫通孔
１９０ｂ  基板ブラケット（支持部材）
２００  主制御回路
２０１  メインＣＰＵ
２０２  メインＲＯＭ
２０３  メインＲＡＭ
２０４  初期リセット回路
２０５  Ｉ／Ｏポート
２０６  コマンド出力ポート
３００  副制御回路
３０１  サブＣＰＵ
３０２  プログラムＲＯＭ
３０３  ワークＲＡＭ
３０４  コマンド入力ポート
３０５  画像制御回路
３０６  音声制御回路
３０７  ランプ制御回路
４００  貯留タンク
４１０  遊技球排出路
Ｈ１−１，Ｈ１−２  電源配線用保持部（保持部）
Ｈ２  信号配線用保持部（保持部）
Ｈ２ａ  信号配線用保持部（保持部）
Ｈ２ａ−１  リブ
Ｌ１，Ｌ１−１，Ｌ１−２  電源配線（配線）
Ｌ２，Ｌ２−１〜Ｌ２−８  信号配線（配線）
【図１】
2006068162.tif 000003
【図２】
2006068162.tif 000004
【図３】
2006068162.tif 000005
【図４】
2006068162.tif 000006
【図５】
2006068162.tif 000007
【図６】
2006068162.tif 000008
【図７】
2006068162.tif 000009